(57)【特許請求の範囲】
【請求項１】
局部発振信号を少なくとも２分岐して出力する局部発振信号分配器であって、
前記局部発振信号を分岐して出力する第１のラットレース回路を備え、
前記第１のラットレース回路は、
第１の環状伝送線路と、
前記局部発振信号が入力され、前記第１の環状伝送線路上の第１のノードに接続される第１の入力ポートと、
前記第１の環状伝送線路上において、前記第１のノードから第１の向きに前記局部発振信号の実効波長の４分の１である所定の長さだけ離れた第２のノードに接続される第１の出力ポートと、
前記第１の環状伝送線路上において、前記第１のノードから前記第１の向きと逆向きに前記所定の長さだけ離れた第３のノードに接続される第２の出力ポートと、
前記第１の環状伝送線路上において前記第２のノードから前記第１の向きに前記所定の長さだけ離れた第４のノードに接続される終端抵抗とを含み、
前記第１の環状伝送線路は、
前記第２のノードから前記第１のノードを経由して前記第３のノードに至る第１の部分と、
前記第２のノードから前記第１のノードを経由せずに前記第３のノードに至る第２の部分とを有し、
前記第２の部分は前記第１の部分よりも長く、
前記第１の部分と前記第２の部分とは、前記第２、第３のノードを結ぶ直線に対してともに前記第１のノード側に配置され、
前記第１の入力ポートと前記第１のノードとを結ぶ線路は、前記第１の環状伝送線路の前記第２の部分と立体交差するように配置される、局部発振信号分配器。
【請求項２】
前記第１のラットレース回路は、
前記第１のノードから前記第１の入力ポートに至る経路上に設けられるアッテネータ回路をさらに含み、
前記アッテネータ回路の一部は、前記第１の環状伝送線路の前記第２の部分と電気的に非接続状態で交差する、請求項１に記載の局部発振信号分配器。
【請求項３】
前記第１の環状伝送線路上の前記第４のノードから前記第１、第２のノードを経由せずに前記第３のノードに至る部分の長さは、前記所定の長さの３倍である、請求項１に記載の局部発振信号分配器。
【請求項４】
前記第１の環状伝送線路は、マイクロストリップ基板上に形成されることを特徴とする、請求項１〜３のいずれか１項に記載の局部発振信号分配器。
【請求項５】
前記第１のラットレース回路によって分岐された前記局部発振信号を受けてさらに分岐する第２のラットレース回路をさらに備え、
前記第２のラットレース回路は、
第２の環状伝送線路と、
前記第１のラットレース回路によって分岐された前記局部発振信号が与えられ、前記第２の環状伝送線路上の第５のノードに接続される第２の入力ポートと、
前記第２の環状伝送線路上において、前記第５のノードから第２の向きに前記所定の長さだけ離れた第６のノードに接続される第３の出力ポートと、
前記第２の環状伝送線路上において、前記第５のノードから前記第２の向きと逆向きに前記所定の長さだけ離れた第７のノードに接続される第４の出力ポートとを含む、請求項１〜４のいずれか１項に記載の局部発振信号分配器。
【請求項６】
請求項１〜５のいずれか１項に記載の局部発振信号分配器を含む低雑音コンバータ。
【発明の詳細な説明】
【０００１】
【発明の属する技術分野】
この発明は局部発振信号分配器およびこれを用いた低雑音コンバータに関し、特に、衛星放送受信機等に用いられ、特にＬＮＢ（Ｌｏｗ  Ｎｏｉｓｅ  Ｂｌｏｃｋ  ｄｏｗｎ−ｃｏｎｖｅｒｔｅｒ）に使用され、局部発振信号を分配する局部発振信号分配器およびこれを用いた低雑音コンバータに関する。
【０００２】
【従来の技術】
図９は従来の代表的な衛星放送受信システムを示す概略ブロック図である。図９において、ＬＮＢ１００はアウトドアと呼ばれるアンテナ１０１に取り付けられるものであり、衛星からの１２．２〜１２．７ＧＨｚの周波数の微弱電波を低雑音増幅し、９５０〜１４５０ＭＨｚの周波数に変換して同軸ケーブル１０３を介してインドアレシーバ１０４に低雑音でかつ十分なレベルの信号を供給する。
【０００３】
インドアレシーバ１０４はＤＢＳチューナ１０５と、ＦＭデモジュレータ１０６と、映像および音声回路１０７と、ＲＦモジュレータ１０８とを含む。同軸ケーブル１０３から与えられる信号はＤＢＳチューナ１０５で選局され、ＦＭデモジュレータ１０６で復調され、映像および音声回路１０７で映像信号と音声信号が出力され、その映像信号と音声信号がＲＦモジュレータ１０８によってテレビジョン受像機１０９のＲＦ信号に変換されてテレビジョン受像機１０９に与えられる。ＬＮＢ１００としては図１０に示す２偏波入力１出力型あるいは図１１に示す２偏波入力２出力型が用いられる。
【０００４】
２偏波入力１出力型ＬＮＢは、図１０に示すように、図９に示したアンテナ１０１で受信された１２．２〜１２．７ＧＨｚの到来信号が、入力導波管１１１内で位相板１１２によって右旋偏波信号と左旋偏波信号とに分割される。奇数チャネルと偶数チャネルの放送番組は、それぞれ右旋偏波信号と左旋偏波信号に互い違いに割当てられており、隣同士のチャネルの混線を防いでいる。これら右旋偏波信号と左旋偏波信号はアンテナプローブ１１３，１１４で受信され、それぞれがＬＮＡ（Ｌｏｗ  Ｎｏｉｚｅ  Ａｍｐｒｉｆｉｅｒ）１３０に与えられる。
【０００５】
ＬＮＡ１３０は２つの増幅器１３１，１３２と、合成回路１３３と、利得増幅器１３４とから構成されている。右旋信号は増幅器１３１に与えられ、左旋信号は増幅器１３２に与えられてそれぞれ低雑音増幅される。これらの増幅器１３１，１３２は電源＆スイッチコントロールＩＣ１４０によって右旋信号を受信するかあるいは左旋信号を受信するかによってオン、オフされる。増幅器１３１，１３２の出力の右旋信号あるいは左旋信号は合成回路１３３から利得増幅器１３４を介してＢＰＦ（Ｂａｎｄ  Ｐａｓｓ  Ｆｉｌｔｅｒ）１３５に与えられて、イメージ周波数帯域の信号成分が除去される。その後、受信信号はミキサ（ＭＩＸ）１３６に与えられる。
【０００６】
局部発振回路（Ｌｏｃａｌ）１３７は１１．２５ＧＨｚの局部発振信号を発生し、その局部発振信号はミキサ１３６に与えられ、ミキサ１３６は１２．２ＧＨｚ〜１２．７ＧＨｚの受信信号と１１．２５ＧＨｚの局部発振信号とを混合し、９５０〜１４５０ＭＨｚの中間周波信号に周波数変換する。この中間周波信号はＩＦアンプ（ＡＭＰ．）１３８に与えられる。ＩＦアンプ１３８は適切な雑音特性と利得特性を有しており、中間周波信号を増幅して出力端子１３９から出力する。出力端子１３９にレシーバとしてのテレビジョン受像機を接続することにより、奇数チャネルか偶数チャネルのうちのいずれか一方のみを受信できる。
【０００７】
上述のごとく図に示した２偏波入力１出力型ＬＮＢは、構成を簡単にでき安価であるが、右旋偏波あるいは左旋偏波で送信された放送番組のいずれか一方しか受信できない。もし、右旋偏波および左旋偏波で送信された２つの放送番組を異なるテレビジョン受像機で同時に受信するためには、図１１に示すように２偏波入力２出力型ＬＮＢにする必要がある。
【０００８】
図１１において、図９に示したアンテナ１０１で受信された１２．２〜１２．７ＧＨｚの到来信号は、入力導波管１１１内で位相板１１２によって右旋偏波信号と左旋偏波信号とに分割される。これら右旋偏波信号と左旋偏波信号はアンテナプローブ１１３，１１４で受信され、それぞれがＬＮＡ１１５，１１６に与えられて低雑音増幅され、所望の周波数帯域成分がＢＰＦ１１７，１１８に与えられて、イメージ周波数帯域の信号成分が除去される。その後、受信信号はミキサ１１９，１２０に与えられる。
【０００９】
局部発振回路１２１は１１．２５ＧＨｚの局部発振信号を発生し、その局部発振信号は分配回路１２２で２分配され、一方の出力は遮断フィルタ１２７を介してミキサ１１９に与えられ、他方の出力は遮断フィルタ１２８を介してミキサ１２０に与えられる。遮断フィルタ１２７，１２８はアイソレーションを確保するために、逆偏波信号を遮断して受信信号の混線を防ぎ、両偏波の交差偏波特性を良好にする。ミキサ１１９，１２０は１２．２ＧＨｚ〜１２．７ＧＨｚの受信信号と１１．２５ＧＨｚの局部発振信号とを混合し、受信信号を９５０〜１４５０ＭＨｚの中間周波信号に周波数変換する。
【００１０】
ミキサ１１９，１２０の出力の中間周波信号はスイッチ回路１２２に与えられる。スイッチ回路１２２は電源＆スイッチコントロールＩＣ１２７によって切換えられ、ミキサ１１９，１２０の出力がＩＦアンプ１２３，１２４に与えられる。ＩＦアンプ１２３，１２４は適切な雑音特性と利得特性を有しており、中間周波信号を増幅して出力端子１２５，１２６から出力される。出力端子１２５，１２６にそれぞれレシーバとしてのテレビジョン受像機を接続することにより、それぞれの放送番組を同時に受信できる。
【００１１】
図１１に示した２偏波入力２出力タイプのような複数入出力型ダウンコンバータでは、複数のレシーバに要求された信号を送る必要があるため、両偏波信号は常時、出力可能な状態でなければならず、ＬＮＡ１１５，１１６およびミキサ１１９，１２０は常に駆動した状態にある。このため、局部発振回路１２１は２つのミキサ１１９，１２０に局部発振信号を分配回路１２２によって等分配する必要がある。
【００１２】
分配回路１２２として図１２に示すようなＹ分岐型分配器（Ｗｉｌｋｉｎｓｏｎ  ｃｏｕｐｌｅｒのＹ型）が用いられる。Ｙ分岐型分配器１５０は局部発振回路１２１に接続されるポート１と、ミキサ１１９に接続されるポート２と、ミキサ１２０に接続されるポート３とを有しており、ポート１とポート２およびポート１とポート３の間は、特性インピーダンスが√２Ｚ0で長さがλｇ／４（λｇ：実効波長）に選ばれており、ポート２とポート３との間にはインピーダンスが２Ｚ0のチップ抵抗が接続されている。
【００１３】
【発明が解決しようとする課題】
図１２に示したＹ分岐型分配器１５０は局部発振回路１２１からの局部発振信号を２分配してミキサ１１９，１２０に与えるが、同時に、両偏波信号ラインがミキサ１１９，１２０からＹ分岐型分配器１５０を介して接続された状態になる。
【００１４】
図１３はＹ分岐型分配器１５０のポート１からポート２への通過特性およびポート３からポート２へのアイソレーション特性を示しており、図１４は同じくポート１からポート３への通過特性およびポート２からポート３へのアイソレーション特性を示している。図１３および図１４に示すようにポート２とポート３の間のアイソレーション特性はその中心周波数がずれたところでは悪くなっていることが分かる。このようにＹ分岐型分配器１５０のアイソレーション特性は狭帯域であり、１７．５ＧＨｚからわずかに周波数がずれるとアイソレーションが悪くなるため、両偏波信号が互いの逆偏波側に漏れてしまい、信号の混線の原因となってしまう。
【００１５】
そこで、図１１に示すように、分配回路１２２の出力部に遮断フィルタ１２７、１２８を設けることにより逆偏波信号を遮断し、両偏波のアイソレーションを確保している。しかし、遮断フィルタ１２７，１２８は、高周波においてマイクロストリップラインによって構成されるため、回路が大きくなる欠点がある。その欠点を解消するためにトラップ回路による遮断も実施されているが、トラップ回路は長さに対する周波数のばらつきが大きい上、ミキサ１１９，１２０へのマッチングの影響も大きく、安定した回路構成を得るには、技術的なノウハウが必要となってくる。
【００１６】
それゆえに、この発明の主たる目的は、回路を大きくすることなく、ミキサとのマッチングの影響が少なく性能が安定しており、かつ高アイソレーションを実現した局部発振信号分配器およびこれを用いた低雑音コンバータを提供することである。
【００１７】
【課題を解決するための手段】
この発明は局部発振信号を少なくとも２分岐して出力する局部発振信号分配器であって、環状伝送線路の任意の入力ポートに局部発振信号が入力され、入力ポートから反時計方向および時計方向に所定の長さだけ離れたそれぞれの出力ポートから局部発振信号を分岐して出力するラットレース回路を備えたことを特徴とする。
【００１８】
このようにラットレース回路により局部発振信号を分岐することにより、高アイソレーションを実現して局部発振信号を分岐することができる。
【００１９】
また、出力ポートの一方から所定の長さだけ離れた環状伝送線路には終端抵抗が接続されることを特徴とする。
【００２０】
この終端抵抗によりラットレース回路からの反射をなくすことができる。
また、環状伝送線路はマイクロストリップ基板上に形成されることを特徴とする。
【００２１】
マイクロストリップ基板上に形成することにより、回路を小型化することができる。
【００２２】
さらに、ラットレース回路は、入力ポートおよび該入力ポート側の環状伝送線路が内側に折畳まれることを特徴とする。
【００２３】
このように環状伝送線路を折畳むことにより小型化が可能となる。
さらに、折畳まれた入力ポートと環状伝送線路の交差部にアッテネータ回路が接続されることを特徴とする。
【００２４】
アッテネータを組み込むことにより、局部発振回路に対する負荷変動の影響を軽減できる。
【００２５】
さらに、ラットレース回路は、初段のラットレース回路のそれぞれの出力ポートに次段のラットレース回路の入力ポートが直列接続され、当該次段のラットレース回路から複数の分岐された局部発振信号が出力されることを特徴とする。
【００２６】
これにより局部発振信号を多数の出力に分岐できる。
他の発明は、受信した右旋（水平）偏波信号と左旋（垂直）偏波信号を中間周波信号に変換する低雑音コンバータであって、受信した右旋（水平）偏波信号を出力する第１の回路と、受信した左旋（垂直）偏波信号を出力する第２の回路と、局部発振信号を出力する局部発振回路と、環状伝送線路の任意の入力ポートに局部発振信号が入力され、入力ポートから反時計方向および時計方向に所定の長さだけ離れたそれぞれの出力ポートから局部発振信号を分岐して出力するラットレース回路と、第１の回路から出力された右旋（水平）偏波信号とラットレース回路の一方の出力ポートから出力された局部発振信号とを混合して中間周波信号を出力する第１の混合回路と、第２の回路から出力された左旋（垂直）偏波信号とラットレース回路の他方の出力ポートから出力された局部発振信号とを混合して中間周波信号を出力する第２の混合回路と、第１および第２の混合回路から出力された中間周波信号を選択的に出力するスイッチ回路とを備えたことを特徴とする。
【００２７】
これにより、回路を大きくすることなく、混合回路とのマッチングの影響が少なく性能が安定しており、かつ高アイソレーションを実現した低雑音コンバータを実現できる。
【００２８】
また、第１および第２の回路と、第１および第２の混合回路はそれぞれ２組設けられ、ラットレース回路は、初段のラットレース回路のそれぞれの出力ポートに次段のラットレース回路の入力ポートが直列接続され、当該次段の一方のラットレース回路から複数の分岐された局部発振信号が出力されて一方の組の第１および第２の混合回路に与えられ、当該次段の他方のラットレース回路から複数の分岐された局部発振信号が出力されて他方の組の第１および第２の混合回路に与えられ、スイッチ回路は２組の第１および第２の混合回路から出力された中間周波信号を選択的に出力する。
【００２９】
これにより多数入力２出力型の低雑音コンバータを実現できる。
【００３０】
【発明の実施の形態】
図１はこの発明の一実施形態の分配器の一例のラットレース回路を示す図である。図１において、ラットレース回路１はその裏面に全面アース電極が形成された、たとえば０．６ｍｍの厚みのマイクロストリップ誘電体基板上に環状伝送線路２が形成されている。この環状伝送線路２の任意の位置にポート１の端子が形成されており、このポート１から反時計方向および時計方向にλｇ／４（λｇ：実効波長）ずつ離れた位置にポート２とポート３の端子が形成されている。これらのポート１，２および３は特性インピーダンスがＺ0に選ばれている。ポート２からさらに反時計方向にλｇ／４離れた位置に反射を防止するための終端抵抗Ｒ＝５０Ωが接続されている。この終端抵抗Ｒとポート３との間の長さは３／４・λｇで特性インピーダンスは√２・Ｚ0に選ばれている。
【００３１】
ポート１には局部発振信号が与えられ、ポート２には第１のミキサ入力が接続され、ポート３には第２のミキサ入力が接続される。ポート２からポート１に対しては、信号は時計回りの経路では１／４波長、反時計回りの経路では５／４波長で到達し、その位相差は１波長分となり、同位相となる両経路の信号は和となってポート１に出力される。
【００３２】
次に、ポート２からポート３に対しては時計回りの経路では１／２波長、反時計回りの経路では１波長で到達し、その位相差は１／２波長となり、逆位相となるため両経路の信号は互いに打ち消しあい、結果としてポート３には信号は出力されない。
【００３３】
同様に、ポート３からポート１の信号は同位相により和として出力され、ポート３からポート２の信号は逆位相により打ち消しあうことになる。
【００３４】
これらをまとめると、ポート１にはポート２とポート３の信号がそれぞれ出力され、ポート２とポート３にはお互いの信号は出力されないことになる。このとき、ポート２とポート３の信号が同位相同振幅の場合、ポート１に出力される信号は両信号の和となり、互いの入力信号の２倍波が出力される。したがって、逆にいえば、この回路はポート１からの信号をポート２とポート３とに等分配し、かつポート２とポート３からの信号は互いに漏れてこない回路ということができる。
【００３５】
図２および図３は図１に示したラットレース回路の通過特性およびアイソレーション特性をシミュレーションした結果を示す図である。ただし、周波数はＫ帯受信用ＬＮＢのための１７．３〜１７．７ＧＨｚの周波数帯域である。
【００３６】
図２ではポート１からポート２への通過特性は損失がわずかであり、ポート３からポート２へのアイソレーション特性は図１３に示した従来のＹ分岐型分配回路のアイソレーション特性に比べて、広帯域で高アイソレーションな特性が得られていることが分かる。また、図３においてもポート１からポート３への通過特性は損失がわずかであり、ポート２からポート３へのアイソレーション特性は図１４に示した従来の図１２に示したＹ分岐型分配回路のアイソレーション特性に比べて、広帯域で高アイソレーションな特性が得られていることが分かる。
【００３７】
図４はこの発明の第２の実施形態のラットレース回路を示す図である。この実施形態は、３つのラットレース回路を用いて４分配回路を構成したものである。すなわち、マイクロストリップ誘電体基板上には３つの環状伝送線路２１，２２，２３が形成されている。初段のラットレース回路となる環状伝送線路２１のポート１から反時計方向にλｇ／４の位置と、次段の一方のラットレース回路となる環状伝送線路２２の任意の位置とが帯状の伝送線路２４によって接続され、環状伝送線路２２の伝送線路２４の接続位置から反時計方向にλｇ／４離れた位置にポート２が形成され、時計方向にλｇ／４離れた位置にポート３が形成される。
【００３８】
環状伝送線路２１のポート１から時計方向にλｇ／４離れた位置と、次段の他方のラットレース回路となる環状伝送線路２３の任意の位置とが伝送線路２５によって接続され、環状伝送線路２３の伝送線路２５の接続位置から反時計方向にλｇ／４離れた位置にポート４が形成され、時計方向にλｇ／４離れた位置にポート５が形成される。環状伝送線路２１の伝送線路２４が接続された位置から反時計方向にλｇ／４離れた位置に５０Ωの終端抵抗が接続され、環状伝送線路２２のポート２から反時計方向にλｇ／４離れた位置に５０Ωの終端抵抗が接続され、環状伝送線路２３のポート４から反時計方向にλｇ／４離れた位置に５０Ωの終端抵抗が接続される。
【００３９】
このようにラットレース回路を直列接続することにより４分配回路を構成することができる。この回路において各ポート１〜５のそれぞれの間のアイソレーションは良好な特性が得られる。そして、ポート１に局部発振信号が入力されると、その局部発振信号がポート１,２,３および４に等分配されて出力される。
【００４０】
なお、図４に示す実施形態において、さらにラットレース回路を直列接続することにより、８分配，１６分配，…と複数出力の等分配器を構成することができる。
【００４１】
図５はこの発明の第３の実施形態を示す図である。この実施形態は図１に示したラットレース回路を小型化するものである。すなわち、図１に示したラットレース回路の環状伝送線路２のうち、ポート１から反時計方向および時計方向にλｇ／４（λｇ：実効波長）の長さの部分が内側に折り畳むようにしたものである。ただし、ポート１には環状伝送線路２の３／４λｇの長さ部分を跨ぐようにブリッジ３が形成されている。このようなラットレース回路は、具体的には環状伝送線路２が形成された基板上にさらに基板を積層し、その積層した基板上にブリッジ３を形成すれば実現できる。
【００４２】
また、終端抵抗Ｒは５０Ωのチップ抵抗５を用い、その一端は環状伝送線路２に接続され、他端はスルーホール４により基板の裏面の全面アース電極に接続される。このように、環状伝送線路２の一部を内側に折畳んで構成することにより、小型化が可能となる。
【００４３】
図６はこの発明の第４の実施形態を示す図である。この実施形態は図５に示した実施形態において環状伝送線路２を折畳むためにブリッジ３が必要とされたのに対して、ブリッジ３に代えてチップ抵抗６を接続したものである。このチップ抵抗６はポート１側と接地間に接続されるチップ抵抗７および環状伝送線路２側と接地間に接続されるチップ抵抗８とともにπ型アッテネータを構成する。このπ型アッテネータは局部発振回路に対する負荷変動の影響を軽減するためのものであり、π型に限らずＴ型であってもよい。チップ型抵抗７，８の接地側はスルーホールにより基板裏面の全面アース電極に接続される。
【００４４】
図７はこの発明のラットレース回路を用いたＬＮＢのブロック図である。この実施形態は、図１１に示したＬＮＢの分配回路１２２として図１に示したラットレース回路１を用いるものであリ、それ以外の構成は図１１と同じである。ラットレース回路１のポート１には局部発振回路１２１から局部発振信号が与えられ、ポート２はミキサ１１９の入力に接続され、ポート３はミキサ１２０の入力に接続される。したがって、局部発振回路１２１からの局部発振信号は２分岐されてミキサ１１９，１２０に入力される。このときラットレース回路１は図２および図３に示したように低損失の分配特性および広帯域のアイソレーション特性を有しており、ミキサ１１９と１２０との間での信号の漏れが少ないため交差偏波特性をもつＬＮＢを実現できる。
【００４５】
図８は４分配型のラットレースを用いたＬＮＢのブロック図である。図８において、図７に示した入力導波管１１１と、位相板１１２と、アンテナプローブ１１３，１１４と、ＬＮＡ１１５，１１６と、ＢＰＦ１１７，１１８と、ミキサ１１９，１２０とを１組とし、これらと同様に構成された入力導波管２１１と、位相板２１２と、アンテナプローブ２１３，２１４と、ＬＮＡ２１５，２１６と、ＢＰＦ２１７，２１８と、ミキサ２１９，２２０とを１組とする構成が設けられる。
【００４６】
ラットレース型４分配器２０は図４に示した環状伝送線路２１，２２，２３が図６に示すように折畳まれており、局部発振回路１２１からの局部発振信号が初段のラットレース回路に与えられ、次段の一方のラットレース回路から２分配された局部発振信号が一方の組のミキサ１１９，１２０に与えられる。次段の他方のラットレース回路から２分岐された局部発振信号は他方の組のミキサ２１９，２２０に与えられる。各ミキサ１１９，１２０はＬＮＡ１１５，１１６およびＢＰＦ１１７，１１８から与えられる右旋信号および右旋信号と局部発振信号とを混合してそれぞれ中間周波信号を出力し、出力された中間周波信号はスイッチ回路２２２に与えられていずれか一方の信号が選択して出力される。同様にして、各ミキサ２１９，２２０はＬＮＡ２１５，２１６およびＢＰＦ２１７，２１８から与えられる右旋信号および右旋信号と局部発振信号とを混合してそれぞれ中間周波信号を出力し、出力された中間周波信号はスイッチ回路２２２に与えられていずれか一方の信号が選択して出力される。スイッチ回路２２２で選択された中間周波信号はＩＦアンプ１２３，１２４で増幅され、出力端子１２５，１２６から出力される。
【００４７】
したがって、この実施形態によれば、ラットレース型４分配器２０により４偏波入力でも良好な交差偏波特性を有するＬＮＢを実現できる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４９】
【発明の効果】
以上のように、この発明によれば、環状伝送線路の任意の入力ポートに局部発振信号を入力し、入力ポートから反時計方向および時計方向に所定の長さだけ離れたそれぞれの出力ポートから局部発振信号を分岐して出力するようにしたので、高アイソレーションを実現して局部発振信号を分岐することができる。
【００５０】
また、受信した右旋（水平）偏波信号を第１の回路から出力し、受信した左旋（垂直）偏波信号を第２の回路から出力し、ラットレース回路の環状伝送線路の任意の入力ポートに局部発振信号を入力し、入力ポートから反時計方向および時計方向に所定の長さだけ離れたそれぞれの出力ポートから局部発振信号を分岐して出力し、第１の回路から出力された右旋（水平）偏波信号とラットレース回路の一方の出力ポートから出力された局部発振信号とを第１の混合回路で混合して中間周波信号を出力し、第２の回路から出力された左旋（垂直）偏波信号とラットレース回路の他方の出力ポートから出力された局部発振信号とを第２の混合回路で混合して中間周波信号を出力し、第１および第２の混合回路から出力された中間周波信号を選択的に出力するようにしたので、回路を大きくすることなく、混合回路とのマッチングの影響が少なく性能が安定しており、かつ高アイソレーションを実現した低雑音コンバータを実現できる。
【図面の簡単な説明】
【図１】  この発明の一実施形態の分配器の一例のラットレース回路を示す図である。
【図２】  図１に示したラットレース回路のポート１からポート２の通過特性およびポート３からポート２のアイソレーション特性を示す図である。
【図３】  図１に示したラットレース回路のポート１からポート３の通過特性およびポート２からポート３のアイソレーション特性を示す図である。
【図４】  この発明の第２の実施形態のラットレース回路を示す図である。
【図５】  この発明の第３の実施形態のラットレース回路を示す図である。
【図６】  この発明の第４の実施形態のラットレース回路を示す図である。
【図７】  この発明のラットレース回路を用いたＬＮＢのブロック図である。
【図８】  この発明の４分配型ラットレース回路を用いたＬＮＢのブロック図である。
【図９】  従来の代表的な衛星放送受信システムを示す概略ブロック図である。
【図１０】  ２偏波入力１出力型ＬＮＢのブロック図である。
【図１１】  ２偏波入力２出力型ＬＮＢのブロック図である。
【図１２】  従来のＹ分岐型分配器を示す図である。
【図１３】  Ｙ分岐型分配器のポート１からポート２への通過特性およびポート３からポート２へのアイソレーション特性を示す図である。
【図１４】  ポート１からポート３への通過特性およびポート２からポート３へのアイソレーション特性を示す図である。
【符号の説明】
１，２０  ラットレース分配器、２，２１，２２，２３  環状伝送線路、３  ブリッジ、４  スルーホール、５〜８  チップ抵抗、２４，２５  伝送線路、１１１，２１１  入力導波管、１１２，２１２  位相板、１１３，１１４，２１３，２１４  アンテナプローブ、１１５，１１６，２１５，２１６  ＬＮＡ、１１７，１１８，２１７，２１８  ＢＰＦ、１１９，１２０，２１９，２２０  ミキサ、１２１  局部発振回路、１２２，２２２  スイッチ回路、１２３，１２４  ＩＦアンプ、１２５，１２６  出力端子、１２７，２２７  電源＆スイッチコントロールＩＣ。
【図１】
0003920061.tif 000002
【図２】
0003920061.tif 000003
【図３】
0003920061.tif 000004
【図４】
0003920061.tif 000005
【図５】
0003920061.tif 000006
【図６】
0003920061.tif 000007
【図７】
0003920061.tif 000008
【図８】
0003920061.tif 000009
【図９】
0003920061.tif 000010
【図１０】
0003920061.tif 000011
【図１１】
0003920061.tif 000012
【図１２】
0003920061.tif 000013
【図１３】
0003920061.tif 000014
【図１４】
0003920061.tif 000015